(57)【特許請求の範囲】
【請求項１】
電子機器本体と充電台とを具備し、前記電子機器本体を略上下方向に延在する姿勢で前記充電台の収容凹部に収容してロックした状態で、前記電子機器本体の本体側充電端子を、前記充電台の充電台側充電端子に当接させることで、前記充電台により前記電子機器本体を充電するよう構成した電子機器であって、
前記電子機器本体の背面に磁性体の金属板を設置する一方、前記充電台の収容凹部に前記金属板と対峙する磁石を設置し、
前記金属板の高さ寸法を幅寸法よりも長く設定するとともに、前記金属板の幅寸法を前記磁石の幅寸法よりも短く設定し、
前記電子機器本体を前記充電台の前記収容凹部に収容して充電位置に設置した状態のときに、前記磁石と前記金属板との間に生ずる磁性吸引力を、前記本体側充電端子と前記充電台側充電端子間に所定の接触圧力を与えるとともに、前記電子機器本体を前記充電台の前記充電位置にロックし得る磁性吸引力とし、かつ前記充電台の重力より小さい磁性吸引力としたことを特徴とする電子機器。
【請求項２】
電子機器本体と充電台とを具備し、前記電子機器本体を略上下方向に延在する姿勢で前記充電台の収容凹部に収容してロックした状態で、前記電子機器本体の本体側充電端子を、前記充電台の充電台側充電端子に当接させることで、前記充電台により前記電子機器本体を充電するよう構成した電子機器であって、
前記電子機器本体の背面に磁性体の金属板を設置する一方、前記充電台の収容凹部に前記金属板と対峙する磁石を設置し、
前記電子機器本体を前記充電台の前記収容凹部に収容した状態において、前記金属板の下端部が前記磁石の高さ方向の中心と上端との間に位置するよう、前記金属板を設置し、
前記電子機器本体を前記充電台の前記収容凹部に収容して充電位置に設置した状態のときに、前記磁石と前記金属板との間に生ずる磁性吸引力を、前記本体側充電端子と前記充電台側充電端子間に所定の接触圧力を与えるとともに、前記電子機器本体を前記充電台の前記充電位置にロックし得る磁性吸引力とし、かつ前記充電台の重力より小さい磁性吸引力としたことを特徴とする電子機器。
【請求項３】
充電台とによって電子機器を構成し、略上下方向に延在する姿勢で前記充電台の収容凹部に収容してロックした状態で、本体側充電端子を前記充電台の充電台側充電端子に当接させることで、前記充電台によって充電するよう構成した電子機器本体であって、
前記電子機器本体の背面に磁性体の金属板を設置する一方、前記充電台の前記収容凹部に前記金属板と対峙する磁石を設置し、
前記金属板の高さ寸法を幅寸法よりも長く設定するとともに、前記金属板の幅寸法を前記磁石の幅寸法よりも短く設定し、
前記電子機器本体を前記充電台の前記収容凹部に収容して充電位置に設置した状態のときに、前記磁石と前記金属板との間に生ずる磁性吸引力を前記本体側充電端子と前記充電台側充電端子間に所定の接触圧力を与えるとともに、前記電子機器本体を前記充電台の前記充電位置にロックし得る磁性吸引力とし、かつ前記充電台の重力より小さい磁性吸引力としたことを特徴とする電子機器本体。
【請求項４】
充電台とによって電子機器を構成し、略上下方向に延在する姿勢で前記充電台の収容凹部に収容してロックした状態で、本体側充電端子を前記充電台の充電台側充電端子に当接させることで、前記充電台によって充電するよう構成した電子機器本体であって、
前記電子機器本体の背面に磁性体の金属板を設置する一方、前記充電台の前記収容凹部に前記金属板と対峙する磁石を設置し、
前記電子機器本体を前記充電台の前記収容凹部に収容した状態において、前記金属板の下端部が前記磁石の高さ方向の中心と上端との間に位置するよう、前記金属板を設置し、
前記電子機器本体を前記充電台の前記収容凹部に収容して充電位置に設置した状態のときに、前記磁石と前記金属板との間に生ずる磁性吸引力を前記本体側充電端子と前記充電台側充電端子間に所定の接触圧力を与えるとともに、前記電子機器本体を前記充電台の前記充電位置にロックし得る磁性吸引力とし、かつ前記充電台の重力より小さい磁性吸引力としたことを特徴とする電子機器本体。
【請求項５】
電子機器本体とによって電子機器を構成し、収容凹部に前記電子機器本体を略上下方向に延在する姿勢で収容してロックした状態で、前記電子機器本体の本体側充電端子を充電台側充電端子に当接させることで、前記電子機器本体を充電するよう構成した充電台であって、
前記電子機器本体の背面に磁性体の金属板を設置する一方、前記充電台の前記収容凹部に前記金属板と対峙する磁石を設置し、
前記金属板の高さ寸法を幅寸法よりも長く設定するとともに、前記金属板の幅寸法を前記磁石の幅寸法よりも短く設定し、
前記電子機器本体を前記充電台の前記収容凹部に収容して充電位置に設置した状態のときに、前記磁石と前記金属板との間に生ずる磁性吸引力を前記本体側充電端子と前記充電台側充電端子間に所定の接触圧力を与えるとともに、前記電子機器本体を前記充電台の前記充電位置にロックし得る磁性吸引力とし、かつ前記充電台の重力より小さい磁性吸引力としたことを特徴とする充電台。
【請求項６】
電子機器本体とによって電子機器を構成し、収容凹部に前記電子機器本体を略上下方向に延在する姿勢で収容してロックした状態で、前記電子機器本体の本体側充電端子を充電台側充電端子に当接させることで、前記電子機器本体を充電するよう構成した充電台であって、
前記電子機器本体の背面に磁性体の金属板を設置する一方、前記充電台の前記収容凹部に前記金属板と対峙する磁石を設置し、
前記電子機器本体を前記充電台の前記収容凹部に収容した状態において、前記金属板の下端部が前記磁石の高さ方向の中心と上端との間に位置するよう、前記金属板を設置し、
前記電子機器本体を前記充電台の前記収容凹部に収容して充電位置に設置した状態のときに、前記磁石と前記金属板との間に生ずる磁性吸引力を前記本体側充電端子と前記充電台側充電端子間に所定の接触圧力を与えるとともに、前記電子機器本体を前記充電台の前記充電位置にロックし得る磁性吸引力とし、かつ前記充電台の重力より小さい磁性吸引力としたことを特徴とする充電台。
【発明の詳細な説明】
【０００１】
【発明の属する技術分野】
本発明は、電子機器本体と該電子機器本体を充電する充電台とから成る電子機器、充電台とによって電子機器を構成する電子機器本体、および電子機器本体とによって電子機器を構成する充電台を対象とし、電子機器本体の充電台への装着ロック構造に関するものである。
【０００２】
【従来の技術】
図１６〜図１８は、従来の電子機器の一例として、携帯電話機と携帯電話機を充電する充電台との充電時の態様を示したものである。
【０００３】
充電に際して携帯電話機１００をその底面部から充電台２００に設けられた収容凹部２００ｏ（後述）に挿入して、携帯電話機１００を、電源に接続するインターフェースコネクタ３００に結合した充電台２００に収容し、ロックして充電を行う。
【０００４】
携帯電話機１００の底面には本体側充電端子１００ｈ、１００ｈが設けられ、両側面の下方に充電台２００への装着に際して、携帯電話機１００を充電台２００へ固定するためのロック用切欠部１００ｋ、１００ｋを備えている。
【０００５】
充電台２００は、上ケース２００ｕと下ケース２００ｓが外面を形成し、上ケース２００ｕには充電に際して携帯電話機１００が装着される収容凹部２００ｏが設けられ、電源に接続するインターフェースコネクタ３００を結合している。
【０００６】
充電台２００の収容凹部２００ｏの底部には、充電台側充電端子２００ｊ、２００ｊが、充電端子ホルダ２００ｊｈに固定され、回路パターン及び電子部品が搭載された回路基板２００ｉに接続し、その一部が充電台２００の内部から延出し、収容凹部２００ｏの内方に露呈している。
【０００７】
携帯電話機１００が充電台２００に装着されると、携帯電話機１００の底面の本体側充電端子１００ｈ、１００ｈが収容凹部２００ｏの内方に露呈した充電台側充電端子２００ｊ、２００ｊの充電端子接続部２００ｊｓ、２００ｊｓを下方に押圧し、充電台側充電端子２００ｊ、２００ｊが弾性変形することにより、変形に応じた弾性力をもって充電台側充電端子２００ｊ、２００ｊの充電端子接続部２００ｊｓ、２００ｊｓが携帯電話機１００の底面の本体側充電端子１００ｈ、１００ｈに接触し、携帯電話機１００の本体側充電端子１００ｈ、１００ｈと充電台２００に設置した充電台側充電端子２００ｊ、２００ｊとの間に一定の接触圧をもって安定した充電を行う。
【０００８】
この充電台側充電端子２００ｊ、２００ｊの上方への付勢力に対抗して、携帯電話機１００を充電台２００に安定的に保持するため、収容凹部２００ｏの両側面には、携帯電話機１００のロック用切欠部１００ｋ、１００ｋに係合するロック用モールドバネ２００ｂ、２００ｂが型成形されるとともに、充電台２００の内部に上ケース２００ｕに係止されたねじりコイルバネ２００ｆ、２００ｆが設置され、ロック用モールドバネ２００ｂ、２００ｂを収容凹部２００ｏ内方へ付勢している。
【０００９】
このように構成された電子機器において、携帯電話機１００を充電台２００により充電する場合、携帯電話機１００をその底面部から充電台２００の収容凹部２００ｏに装着する。
【００１０】
携帯電話機１００の底面が充電台２００の収容凹部２００ｏの底面に当接すると、充電台２００のロック用モールドバネ２００ｂ、２００ｂが携帯電話機１００の両側面のロック用切欠部１００ｋ、１００ｋに係止して、充電台側充電端子２００ｊ、２００ｊの上方への付勢力に抗して、携帯電話機１００が充電台２００に安定的に保持されて、携帯電話機１００の本体側充電端子１００ｈ、１００ｈが充電台２００の充電端子接続部２００ｊｓ、２００ｊｓに一定の接触圧をもって接触して、充電が行われる。
【００１１】
上記構成の携帯電話機１００は、最近の小型・軽量化によって自重が軽くなったため、ロック構造をとっているのであり、充電に際して携帯電話機１００の自重による力が充電端子間の接触圧力より弱いので、携帯電話機１００にロックをかけて、充電台側充電端子２００ｊ、２００ｊの弾性力（接触圧力）に抗して、携帯電話機１００を充電台２００に保持して、充電端子間に一定の接触圧力をもって充電を行っている。
【００１２】
【発明が解決しようとする課題】
このように、従来の電子機器における充電時における電子機器本体の充電台への装着ロック構造は、携帯電話機１００にロックをかけて、携帯電話機１００を充電台２００に保持して、携帯電話機１００の本体側充電端子１００ｈと充電台２００における充電台側充電端子２００ｊの充電端子接続部２００ｊｓとの接触圧を確保する構成であり、そして充電台２００はこの充電時の携帯電話機１００を充電台２００にロックするのに要する荷重（ロック荷重）よりも軽い重量である。
【００１３】
このため、携帯電話機１００を充電台２００から取り去る場合に、携帯電話機１００を持ち上げると充電台２００のロック荷重が充電台２００の自重より強いため、携帯電話機１００と一緒に充電台２００が持ち上がってしまうことがあった。
【００１４】
これを防ぐため、充電台２００を片手で抑えて携帯電話機１００を取るか、或いは充電台２００を片手で抑えて携帯電話機１００を一度手前に倒してロックを解除して取るかどちらかの方法を選択して行わなければならなかった。
【００１５】
又、携帯電話機１００を充電台２００に装着するに際しても、充電台２００のロック荷重が携帯電話機１００の自重より強い力のため、携帯電話機１００を充電台２００に押し込まなければならず、使い勝手が悪いという問題があった。
【００１６】
加えて、ロック用モールドバネ２００ｂ、２００ｂは充電台２００の上ケース２００ｕと一体に型成形され、同様にロック用切欠部１００ｋ、１００ｋは携帯電話機１００のケーシングと一体に型成形されるので、金型によりロック荷重がばらつき、携帯電話機１００を充電台２００から出し入れする際の感触が一定でないという問題も生じている。
【００１７】
本発明は上記実状に鑑みて、電子機器本体の充電台への装着、取り外しが容易で使い勝手が良く、かつ電子機器本体が充電台へ確実に収容してロックされ、安定的な充電端子間接触圧力をもって充電可能な電子機器、電子機器本体および充電台の提供を目的とするものである。
【００１８】
【課題を解決するための手段】
請求項１に関わる電子機器は、電子機器本体と充電台とを具備し、電子機器本体を略上下方向に延在する姿勢で充電台の収容凹部に収容してロックした状態で、電子機器本体の本体側充電端子を、充電台の充電台側充電端子に当接させることで、充電台により電子機器本体を充電するよう構成した電子機器において、電子機器本体の背面に磁性体の金属板を設置する一方、充電台の収容凹部に金属板と対峙する磁石を設置し、金属板の高さ寸法を幅寸法よりも長く設定するとともに、金属板の幅寸法を磁石の幅寸法よりも短く設定し、電子機器本体を充電台の収容凹部に収容して充電位置に設置した状態のときに、磁石と金属板との間に生ずる磁性吸引力を、本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
【００１９】
請求項２に関わる電子機器は、電子機器本体と充電台とを具備し、電子機器本体を略上下方向に延在する姿勢で充電台の収容凹部に収容してロックした状態で、電子機器本体の本体側充電端子を、充電台の充電台側充電端子に当接させることで、充電台により電子機器本体を充電するよう構成した電子機器であって、電子機器本体の背面に磁性体の金属板を設置する一方、充電台の収容凹部に金属板と対峙する磁石を設置し、電子機器本体を充電台の収容凹部に収容した状態において、金属板の下端部が磁石の高さ方向の中心と上端との間に位置するよう金属板を設置し、電子機器本体を充電台の収容凹部に収容して充電位置に設置した状態のときに、磁石と金属板との間に生ずる磁性吸引力を、本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
請求項３に関わる電子機器本体は、充電台とによって電子機器を構成し、略上下方向に延在する姿勢で充電台の収容凹部に収容してロックした状態で、本体側充電端子を充電台の充電台側充電端子に当接させることで、充電台によって充電するよう構成した電子機器本体であって、電子機器本体の背面に磁性体の金属板を設置する一方、充電台の収容凹部に金属板と対峙する磁石を設置し、金属板の高さ寸法を幅寸法よりも長く設定するとともに、金属板の幅寸法を磁石の幅寸法よりも短く設定し、電子機器本体を充電台の収容凹部に収容して充電位置に設置した状態のときに、磁石と金属板との間に生ずる磁性吸引力を本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
請求項４に関わる電子機器本体は、充電台とによって電子機器を構成し、略上下方向に延在する姿勢で充電台の収容凹部に収容してロックした状態で、本体側充電端子を充電台の充電台側充電端子に当接させることで、充電台によって充電するよう構成した電子機器本体であって、電子機器本体の背面に磁性体の金属板を設置する一方、充電台の収容凹部に金属板と対峙する磁石を設置し、電子機器本体を充電台の収容凹部に収容した状態において、金属板の下端部が磁石の高さ方向の中心と上端との間に位置するよう金属板を設置し、電子機器本体を充電台の収容凹部に収容して充電位置に設置した状態のときに、磁石と金属板との間に生ずる磁性吸引力を本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
請求項５に関わる充電台は、電子機器本体とによって電子機器を構成し、収容凹部に電子機器本体を略上下方向に延在する姿勢で収容してロックした状態で、電子機器本体の本体側充電端子を充電台側充電端子に当接させることで、電子機器本体を充電するよう構成した充電台であって、電子機器本体の背面に磁性体の金属板を設置する一方、充電台の収容凹部に金属板と対峙する磁石を設置し、金属板の高さ寸法を幅寸法よりも長く設定するとともに、金属板の幅寸法を磁石の幅寸法よりも短く設定し、電子機器本体を充電台の収容凹部に収容して充電位置に設置した状態のときに、磁石と金属板との間に生ずる磁性吸引力を本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
請求項６に関わる充電台は、電子機器本体とによって電子機器を構成し、収容凹部に電子機器本体を略上下方向に延在する姿勢で収容してロックした状態で、電子機器本体の本体側充電端子を充電台側充電端子に当接させることで、電子機器本体を充電するよう構成した充電台であって、電子機器本体の背面に磁性体の金属板を設置する一方、充電台の収容凹部に金属板と対峙する磁石を設置し、電子機器本体を充電台の収容凹部に収容した状態において、金属板の下端部が磁石の高さ方向の中心と上端との間に位置するよう金属板を設置し、電子機器本体を充電台の収容凹部に収容して充電位置に設置した状態のときに、磁石と金属板との間に生ずる磁性吸引力を本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
【００２０】
【発明の実施の形態】
以下、本発明に関わる電子機器を実施例を示す図面に基づいて詳細に説明する。
【００２１】
本発明に関わる電子機器の一例として、携帯電話機１（電子機器本体）と充電台２（充電台）とから成る電子機器について述べる。
【００２２】
図１は携帯電話機１の充電時の態様を示した図であり、充電に際して携帯電話機１をその底面部から充電台２に設けられた収容凹部（後述）に挿入して、携帯電話機１を、電源に接続するインターフェースコネクタ３に結合した充電台２に収容し、ロックして充電を行う。
【００２３】
図２〜図５は本願発明の第１の実施例を示しており、携帯電話機１の正面には表示部、釦操作部が設けられ、ケーシング１ｋの上方にはアンテナが突出しており、ケーシング１ｋの底面には本体側充電端子１ｈ、１ｈが露呈して設置される。
【００２４】
携帯電話機１のケーシング１ｋ背面の下方には、磁性体の金属板１ｉが、ケーシング１ｋのモールド成形時にインサート成形により、表面近傍に設けられる。
【００２５】
なお、金属板１ｉは、モールド成形後、例えば両面テープなどを用いてケーシング１ｋ背面に貼り付ける方法によって設けてもよい。
【００２６】
充電台２は、上ケース２ｕ及び下ケース２ｓによって外面を形成し、上ケース２ｕには充電に際して携帯電話機１が装着される収容凹部２ｏが形成され、その内部には回路パターン及び電子部品が搭載された回路基板２ｂを備え、電源に接続するインターフェースコネクタ３を結合する。
【００２７】
回路基板２ｂに固定した充電端子ホルダ２ｊｈには、弾性を有する材質にて製作された充電台側充電端子２ｊ、２ｊが係止され、一端が回路基板２ｂに接続するとともに、その他端部の充電端子接続部２ｊｓ、２ｊｓが上ケース２ｕにおける収容凹部２ｏの底面に設けられた開口部２ｋ、２ｋを挿通して、収容凹部２ｏの内方に突設している（図４を参照）。
【００２８】
上ケース２ｕには、上ケース２ｕのモールド成形に際して、インサート成形により設置される磁石２ｍが、充電時に携帯電話機１が充電台２に装着された際、携帯電話機１の金属板１ｉに相対向する位置の上ケース２ｕの収容凹部２ｏ表面近傍に設置される。
【００２９】
なお、磁石２ｍは、モールド成形後、例えば両面テープなどを用いて収容凹部２ｏ表面に貼り付ける方法によって設けてもよい。
【００３０】
本例では金属板１ｉは冷間圧延鋼鈑、磁石２ｍはネオジ燒結マグネットを用いている。
【００３１】
図２における金属板１ｉと磁石２ｍの詳細を示したのが図６である。
【００３２】
金属板１ｉの高さ１ｉｈは金属板１ｉの幅１ｉｂより長く、かつ金属板１ｉの幅１ｉｂは磁石２ｍの幅２ｍｂより短く設定する。
【００３３】
例えば、金属板１ｉの高さ１ｉｈを１１ｍｍ、幅１ｉｂを３ｍｍ、磁石２ｍの幅２ｍｂを５ｍｍとする。
【００３４】
このような寸法関係を設定することにより、携帯電話機１を充電台２の収容ロックする位置に正しい姿勢で収容ロックすることが可能となる。
【００３５】
すなわち、図８に示すように、携帯電話機１が充電台２に対して曲がってさし込まれても、金属板１ｉの幅１ｉｂは磁石２ｍの幅２ｍｂより狭く、又金属板１ｉの高さ１ｉｈは金属板１ｉの幅１ｉｂより長いので、磁石２ｍが金属板１ｉを吸引する際の垂直方向への力が強く、図８の矢印で示すように携帯電話機１の姿勢が磁石２ｍの磁力による金属板１ｉへの吸引力によって正され、実線で示すように正規の姿勢にて充電台２に収容してロックされる。
【００３６】
又、金属板１ｉと磁石２ｍとの位置関係は、携帯電話機１を充電台２に収容ロックした状態において、金属板１ｉは磁石２ｍの高さ方向の中心線Ｍｏ−Ｍｏより高い位置にあり、金属板１ｉの下端部が磁石２ｍの高さ方向の中心線Ｍｏ−Ｍｏと磁石２ｍの上端の間になるように配置する。
【００３７】
これは、金属板１ｉ、磁石２ｍ、及び磁石２ｍの磁力線２ｍｓの関係を示す図７にて明らかなように、磁力線２ｍｓに沿って金属板１ｉが磁石２ｍに吸引されるので、金属板１ｉと磁石２ｍとのこの位置関係が磁石２ｍの金属板１ｉを吸引する磁力が最も効果的に作用するからである。
【００３８】
ところで、携帯電話機１は軽量であるため、携帯電話機１を充電台２に収容ロックした状態において、携帯電話機１の重力が充電台側充電端子２ｊ、２ｊに及ぼす力１ｗは充電端子間接触圧力Ｓｆより小さい。
【００３９】
そのため、携帯電話機１を充電台２に収容ロックした状態において、充電台２に設置された磁石２ｍが携帯電話機１に設置した金属板１ｉを吸引する磁力Ｍｆを、充電端子間接触圧力Ｓｆが携帯電話機１の重力が充電台側充電端子２ｊ、２ｊに及ぼす力１ｗを上回る力に、携帯電話機１を充電台２に収容してロックする位置に吸引保持する力（α）を加えた力とする。
【００４０】
そして、充電時の磁石２ｍが携帯電話機１に設置した金属板１ｉを吸引する磁力Ｍｆは充電台の重力２ｗより小さく設定する。
【００４１】
これらの力関係をまとめると下記のようになる。
【００４２】
Ｓｆ（充電端子間接触圧力）  ＞  １ｗ（携帯電話機１の重力が充電台側充電端子２ｊ、２ｊに及ぼす力）
Ｓｆ（充電端子間接触圧）  ―  １ｗ（携帯電話機１の重力による力）  ＋  α  ＝  Ｍｆ（磁力）
Ｍｆ（磁力）  ＜  ２ｗ（充電台２の重力）
以上説明した構成の電子機器において、充電時の動作、作用について以下説明する。
【００４３】
充電のため、携帯電話機１の底面部から携帯電話機１を充電台２の収容凹部２ｏにさし込むと、途中から磁石２ｍと金属板１ｉ間の磁力によりさし込み動作が促進され、手を離しても携帯電話機１は充電台２の収容凹部２ｏの所定位置すなわち収容ロック位置に装着される。
【００４４】
この時、図８に示すように、携帯電話機１が充電台２に対して曲がってさし込まれても、前述したように磁石２ｍと金属板１ｉとの形状関係を磁石２ｍの垂直方向の吸引力が強力になるよう設定してあるので、携帯電話機１が磁石２ｍの吸引力により正しい姿勢に矯正されて充電台２に収容される。
【００４５】
同様に、図９に示すように、携帯電話機１が前後方向にずれてさし込まれても、携帯電話機１に設置された金属板１ｉは携帯電話機１の背面に位置して、磁石２ｍとは相対向する位置関係であるので、磁石に所定の磁力があれば、金属板１ｉが磁石２ｍに吸引され、矢印のように携帯電話機１の姿勢が矯正され、正しい姿勢にて携帯電話機１が充電台２に収容される。
【００４６】
そして、携帯電話機１が充電台２に収容されると、充電台２に設置された磁石２ｍの磁性吸引力により、充電端子間に所定の接触圧力が得られるとともに携帯電話機１が＋αの力にて吸引されロックされるので、携帯電話機１が充電台２に確実に保持され、安定した充電が可能である。
【００４７】
充電が終了して、携帯電話機１を充電台２にから取り去るには、携帯電話機１のみ持って取り去されば、Ｍｆ（磁力）  ＜  ２ｗ（充電台の重力）の関係があるので、速やかに携帯電話機１を充電台２にから取り去ることが可能である。
【００４８】
このように、本願発明によれば携帯電話機１の充電台２への装着、取り外しが容易で使い勝手が良好であり、しかも携帯電話機１が誤った姿勢で充電台２へ装着されても、磁石２ｍの吸引力により正しい姿勢に矯正されて携帯電話機１が充電台２に収容してロックされる。
【００４９】
そして、充電に際しては、携帯電話機１は充電台２に収容され確実にロック保持され、かつ安定的な充電端子接触圧力をもって充電することが可能である。
【００５０】
この実施例では、先に述べた通り金属板１ｉ、磁石２ｍをインサート成形により、金属板１ｉは携帯電話機１のケーシング１ｋ内に設置し、磁石２ｍは充電台２の上ケース２ｕ内に設置したが、金属板１ｉを携帯電話機１のケーシング１ｋ表面に露呈して設置し、磁石２ｍを上ケース２ｕ表面に露呈して設置することも可能である。
【００５１】
又、磁石２ｍを携帯電話機１のケーシング１ｋ内に設置し、金属板１ｉを充電台２の上ケース２ｕ内に設置することも可能である。
【００５２】
図１０、図１１、図１２は、携帯電話機と充電台とから成る電子機器の第２の実施例を示している。
【００５３】
なお、携帯電話機２１及び充電台２２において、図１〜図５に示した第１の実施例と同じ構成を成し、同じ作用を行う構成要素は第１の実施例と同一の符号に′（ダッシュ）を附し、詳細な説明は省略する。
【００５４】
充電台２２における上ケース２２ｕの収容凹部２２ｏの底面部に凹部を設けて磁石２２ｍ、２２ｍを設置する。
【００５５】
充電に際して、磁石２２ｍ、２２ｍの磁力によって携帯電話機２１を吸引して、充電台２２の収容凹部２２ｏに収容してロックするため、携帯電話機２１の底面部のケーシング２１ｋに凹部が設けられ、金属板２１ｉ、２１ｉが設置される。
【００５６】
充電時における充電台２２に設置する磁石２２ｍ、２２ｍが携帯電話機２１に設置した金属板２１ｉ、２１ｉを吸引する磁力Ｍｆ、充電端子間接触圧力Ｓｆ２と携帯電話機２１の重力が充電台側充電端子２２ｊ、２２ｊに及ぼす力２１ｗ、携帯電話機２１を充電台２２の収容してロックする位置に吸引保持する力（α２）、充電台の重力２２ｗの関係は次のようになる。
【００５７】
Ｓｆ２（充電端子間接触圧力）  ＞  ２１ｗ（携帯電話機２１の重力が充電台側充電端子２２ｊ、２２ｊに及ぼす力）
Ｓｆ２（充電端子間接触圧）  ―  ２１ｗ（携帯電話機２１の重力による力）＋  α２  ＝  Ｍｆ２（磁力）
Ｍｆ２（磁力）  ＜  ２２ｗ（充電台２２の重力）
以上説明した第２の実施例において、充電のため、携帯電話機２１の底面部から携帯電話機２１を充電台２２の収容凹部２２ｏにさし込むと、途中から磁石２２ｍ、２２ｍと金属板２１ｉ、２１ｉ間の磁力によりさし込み動作が促進され、手を離しても携帯電話機２１は充電台２２の収容凹部２２ｏの所定位置すなわち収容ロック位置に装着される。
【００５８】
しかも、携帯電話機２１が誤った姿勢で充電台２２にさし込まれても磁石２２ｍ、２２ｍと金属板２１ｉ、２１ｉは相対向する位置に設置されているので、磁石２２ｍ、２２ｍの磁力によって吸引され、携帯電話機２１は充電台２２に正しい姿勢で収容ロックされる。
【００５９】
そして、携帯電話機２１が充電台２２に収容されロックされると、充電端子間に所定の接触圧力が得られるとともに、携帯電話機２１が充電台２２に設置された磁石２２ｍ、２２ｍによるα２の大きさの力によって吸引されロックされるので携帯電話機２１が充電台２２に確実に保持され、安定した充電が可能である。
【００６０】
充電が終了して、携帯電話機２１を充電台２２から取り去るには、携帯電話機２１のみ持って取り去されば、Ｍｆ２（磁力）  ＜  ２２ｗ（充電台２２の重力）の関係があるので、速やかに携帯電話機２１を充電台２２から取り去ることが可能である。
【００６１】
このように、第２の実施例によれば携帯電話機２１の充電台２２への装着、取り外しが容易で使い勝手が良好であり、しかも携帯電話機２１が誤った姿勢で充電台２２へ装着されても、磁力の吸引力により正しい姿勢に矯正されて携帯電話機２１が充電台２２に収容してロックされる。
【００６２】
そして、充電に際しては、携帯電話機２１は充電台２２に収容され確実にロック保持され、かつ安定的な充電端子接触圧力をもって充電することが可能である。
【００６３】
この実施例では、金属板２１ｉ、２１ｉを携帯電話機２１のケーシング２１ｋの表面に露呈して設置し、磁石２２ｍ、２２ｍを充電台２２の上ケース２２ｕ表面に露呈して設置したが、インサート成形により、金属板２１ｉ、２１ｉは携帯電話機２１のケーシング２１ｋ内に設置し、磁石２２ｍ、２２ｍは充電台２２の上ケース２２ｕ内に設置することも可能である。
【００６４】
又、磁石２２ｍを携帯電話機２１のケーシング２１ｋ内に設置し、金属板２１ｉを充電台２２の上ケース２２ｕ内に設置することも可能である。
【００６５】
図１３、図１４、図１５は、携帯電話機と充電台とから成る電子機器の第３の実施例を示している。
【００６６】
なお、携帯電話機３１及び充電台３２において、図１〜図５に示した第１の実施例と同じ構成を成し、同じ作用を行う構成要素は第１の実施例と同一の符号に′（ダッシュ）を附し、詳細な説明は省略する。
【００６７】
充電台３２における上ケース３２ｕの収容凹部３２ｏの側面部に凹部を設けて磁石３２ｍ、３２ｍを設置する。
【００６８】
充電に際して、磁石３２ｍ、３２ｍの磁力によって携帯電話機３１を吸引して、充電台３２の収容凹部３２ｏに収容してロックするため、携帯電話機３１の側面部のケーシング３１ｋに凹部が設けられ、金属板３１ｉ、３１ｉを設置する。
【００６９】
充電時の充電台３２に設置する磁石３２ｍ、３２ｍが携帯電話機３１に設置した金属板３１ｉ、３１ｉを吸引する磁力Ｍｆ３、充電端子間接触圧力Ｓｆ３と携帯電話機３１の重力が充電側充電端子３２ｊ、３２ｊに及ぼす力３１ｗ、携帯電話機３１を充電台３２の収容してロックする位置に吸引保持する力（α３）、充電台の重力３２ｗの関係は次のようになる。
【００７０】
Ｓｆ３（充電端子間接触圧力）  ＞  ３１ｗ（携帯電話機３１の重力が充電台側充電端子３２ｊ、３２ｊに及ぼす力）
Ｓｆ３（充電端子間接触圧）  ―  ３１ｗ（携帯電話機３１の重力による力）＋  α３  ＝      Ｍｆ３（磁力）
Ｍｆ３（磁力）  ＜    ３２ｗ（充電台３２の重力）
以上説明した第３の実施例において、充電のため、携帯電話機３１の底面部から携帯電話機３１を充電台３２の収容凹部３２ｏにさし込むと、途中から磁石３２ｍ、３２ｍと金属板３１ｉ、３１ｉ間の磁力によりさし込み動作が促進され、手を離しても携帯電話機３１は充電台３２の収容凹部３２ｏの所定位置すなわち収容ロック位置に装着される。
【００７１】
しかも、携帯電話機３１が誤った姿勢で充電台３２にさし込まれても磁石３２ｍ、３２ｍと金属板３１ｉ、３１ｉは相対向する位置に設置されているので、磁石３２ｍ、３２ｍの磁力によって吸引され、携帯電話機３１は充電台３２に正しい姿勢で収容ロックされる。
【００７２】
そして、携帯電話機３１が充電台３２に収容されロックされると、充電端子間に所定の接触圧力が得られるとともに、携帯電話機３１が、充電台３２に設置された磁石３２ｍ、３２ｍによるα３の大きさの磁力によって吸引されロックされるので、携帯電話機３１が充電台３２に確実にロック保持され、安定した充電が可能である。
【００７３】
充電が終了して、携帯電話機３１を充電台３２から取り去るには、携帯電話機３１のみ持って取り去されば、Ｍｆ３（磁力）  ＜  ３２ｗ（充電台の重力）の関係があるので、速やかに携帯電話機３１を充電台３２から取り去ることが可能である。
【００７４】
このように、第３の実施例によれば携帯電話機３１の充電台３２への装着、取り外しが容易で使い勝手が良好であり、しかも携帯電話機３１が誤った姿勢で充電台３２へ装着されても、磁力の吸引力により正しい姿勢に矯正されて携帯電話機３１が充電台３２に収容してロックされる。
【００７５】
そして、充電に際しては、携帯電話機３１は充電台３２に収容され確実にロック保持され、かつ安定的な充電端子接触圧力をもって充電することが可能である。
【００７６】
この実施例では、金属板３１ｉ、３１ｉを携帯電話機３１のケーシング３１ｋ表面に露呈して設置し、磁石３２ｍ、３２ｍを充電台３２の上ケース３２ｕ表面に露呈して設置したが、インサート成形により、金属板３１ｉ、３１ｉは携帯電話機３１のケーシング３１ｋ内に設置し、磁石３２ｍ、３２ｍは充電台３２の上ケース３２ｕ内に設置することも可能である。
【００７７】
又、磁石３２ｍを携帯電話機３１のケーシング３１ｋ内に設置し、金属板３１ｉを充電台３２の上ケース３２ｕ内に設置することも可能である。
【００７８】
なお、上述した実施例においては、携帯電話機と携帯電話機を充電する充電台を例示しているが、電気ヒゲ剃りと電気ヒゲ剃りを充電するための充電台、電池パックと電池パックを充電するための充電台等、その他様々な被充電機器と被充電機器を充電するための充電台に、本発明に関わる電子機器を有効に適用し得ることは言うまでもない。
【００７９】
【発明の効果】
以上、詳述した如く、請求項１の発明に関わる電子機器は、電子機器本体と充電台とを具備し、電子機器本体を略上下方向に延在する姿勢で充電台の収容凹部に収容してロックした状態で、電子機器本体の本体側充電端子を、充電台の充電台側充電端子に当接させることで、充電台により電子機器本体を充電するよう構成した電子機器において、電子機器本体の背面に磁性体の金属板を設置する一方、充電台の収容凹部に金属板と対峙する磁石を設置し、金属板の高さ寸法を幅寸法よりも長く設定するとともに、金属板の幅寸法を磁石の幅寸法よりも短く設定し、電子機器本体を充電台の収容凹部に収容して充電位置に設置した状態のときに、磁石と金属板との間に生ずる磁性吸引力を、本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
上述した請求項１の電子機器によれば、電子機器本体の充電台への装着、取り外しが容易で使い勝手が良好であり、しかも電子機器本体が誤った姿勢で充電台へ装着されても、電子機器本体は磁性吸引力により正しい姿勢に矯正され、充電台に収容された電子機器本体が確実にロックされるので、充電に際して安定的な充電端子接触圧力をもって充電することが可能となる。
【００８０】
また、請求項２の発明に関わる電子機器は、電子機器本体と充電台とを具備し、電子機器本体を略上下方向に延在する姿勢で充電台の収容凹部に収容してロックした状態で、電子機器本体の本体側充電端子を、充電台の充電台側充電端子に当接させることで、充電台により電子機器本体を充電するよう構成した電子機器であって、電子機器本体の背面に磁性体の金属板を設置する一方、充電台の収容凹部に金属板と対峙する磁石を設置し、電子機器本体を充電台の収容凹部に収容した状態において、金属板の下端部が磁石の高さ方向の中心と上端との間に位置するよう金属板を設置し、電子機器本体を充電台の収容凹部に収容して充電位置に設置した状態のときに、磁石と金属板との間に生ずる磁性吸引力を、本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
上述した請求項２の電子機器によれば、電子機器本体の充電台への装着、取り外しが容易で使い勝手が良好であり、しかも電子機器本体が誤った姿勢で充電台へ装着されても、電子機器本体は磁性吸引力により正しい姿勢に矯正され、充電台に収容された電子機器本体が確実にロックされるので、充電に際して安定的な充電端子接触圧力をもって充電することが可能となる。
【００８１】
また、請求項３の発明に関わる電子機器本体は、充電台とによって電子機器を構成し、略上下方向に延在する姿勢で充電台の収容凹部に収容してロックした状態で、本体側充電端子を充電台の充電台側充電端子に当接させることで、充電台によって充電するよう構成した電子機器本体であって、電子機器本体の背面に磁性体の金属板を設置する一方、充電台の収容凹部に金属板と対峙する磁石を設置し、金属板の高さ寸法を幅寸法よりも長く設定するとともに、金属板の幅寸法を磁石の幅寸法よりも短く設定し、電子機器本体を充電台の収容凹部に収容して充電位置に設置した状態のときに、磁石と金属板との間に生ずる磁性吸引力を本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
上述した請求項３の電子機器本体によれば、電子機器本体の充電台への装着、取り外しが容易で使い勝手が良好であり、しかも電子機器本体が誤った姿勢で充電台へ装着されても、電子機器本体は磁性吸引力により正しい姿勢に矯正され、充電台に収容された電子機器本体が確実にロックされるので、充電に際して安定的な充電端子接触圧力をもって充電することが可能となる。
【００８２】
また、請求項４の発明に関わる電子機器本体は、充電台とによって電子機器を構成し、略上下方向に延在する姿勢で充電台の収容凹部に収容してロックした状態で、本体側充電端子を充電台の充電台側充電端子に当接させることで、充電台によって充電するよう構成した電子機器本体であって、電子機器本体の背面に磁性体の金属板を設置する一方、充電台の収容凹部に金属板と対峙する磁石を設置し、電子機器本体を充電台の収容凹部に収容した状態において、金属板の下端部が磁石の高さ方向の中心と上端との間に位置するよう金属板を設置し、電子機器本体を充電台の収容凹部に収容して充電位置に設置した状態のときに、磁石と金属板との間に生ずる磁性吸引力を本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
上述した請求項４の電子機器本体によれば、電子機器本体の充電台への装着、取り外しが容易で使い勝手が良好であり、しかも電子機器本体が誤った姿勢で充電台へ装着されても、電子機器本体は磁性吸引力により正しい姿勢に矯正され、充電台に収容された電子機器本体が確実にロックされるので、充電に際して安定的な充電端子接触圧力をもって充電することが可能となる。
【００８３】
また、請求項５の発明に関わる充電台は、電子機器本体とによって電子機器を構成し、収容凹部に電子機器本体を略上下方向に延在する姿勢で収容してロックした状態で、電子機器本体の本体側充電端子を充電台側充電端子に当接させることで、電子機器本体を充電するよう構成した充電台であって、電子機器本体の背面に磁性体の金属板を設置する一方、充電台の収容凹部に金属板と対峙する磁石を設置し、金属板の高さ寸法を幅寸法よりも長く設定するとともに、金属板の幅寸法を磁石の幅寸法よりも短く設定し、電子機器本体を充電台の収容凹部に収容して充電位置に設置した状態のときに、磁石と金属板との間に生ずる磁性吸引力を本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
上述した請求項５の充電台によれば、電子機器本体の充電台への装着、取り外しが容易で使い勝手が良好であり、しかも電子機器本体が誤った姿勢で充電台へ装着されても、電子機器本体は磁性吸引力により正しい姿勢に矯正され、充電台に収容された電子機器本体が確実にロックされるので、充電に際して安定的な充電端子接触圧力をもって充電することが可能となる。
【００８４】
また、請求項６の発明に関わる充電台は、電子機器本体とによって電子機器を構成し、収容凹部に電子機器本体を略上下方向に延在する姿勢で収容してロックした状態で、電子機器本体の本体側充電端子を充電台側充電端子に当接させることで、電子機器本体を充電するよう構成した充電台であって、電子機器本体の背面に磁性体の金属板を設置する一方、充電台の収容凹部に金属板と対峙する磁石を設置し、電子機器本体を充電台の収容凹部に収容した状態において、金属板の下端部が磁石の高さ方向の中心と上端との間に位置するよう金属板を設置し、電子機器本体を充電台の収容凹部に収容して充電位置に設置した状態のときに、磁石と金属板との間に生ずる磁性吸引力を本体側充電端子と充電台側充電端子間に所定の接触圧力を与えるとともに、電子機器本体を充電台の充電位置にロックし得る磁性吸引力とし、かつ充電台の重力より小さい磁性吸引力としたことを特徴とする。
上述した請求項６の充電台によれば、電子機器本体の充電台への装着、取り外しが容易で使い勝手が良好であり、しかも電子機器本体が誤った姿勢で充電台へ装着されても、電子機器本体は磁性吸引力により正しい姿勢に矯正され、充電台に収容された電子機器本体が確実にロックされるので、充電に際して安定的な充電端子接触圧力をもって充電することが可能となる。
【図面の簡単な説明】
【図１】    本発明に関わる電子機器の充電時の態様を示す、（ａ）は正面図、（ｂ）は側面図、（ｃ）は平面図。
【図２】    本発明に関わる電子機器の第１の実施例を示す正面図及び要部II―II断面図。
【図３】    本発明に関わる電子機器の第１の実施例を示す側面図及び要部III―III断面図。
【図４】    本発明に関わる電子機器の第１の実施例を示す充電端子近傍の要部側断面詳細図。
【図５】    本発明に関わる電子機器の第１の実施例を示す図３のＤ部側面詳細図。
【図６】    本発明に関わる電子機器の第１の実施例における磁石及び磁性体の詳細と関係を示す正面図。
【図７】    本発明に関わる電子機器の第１の実施例における磁性体の動き、磁石、及び磁石の磁力線間の関係を示す側面図。
【図８】    本発明に関わる電子機器の第１の実施例における電子機器本体の装着時の態様を示す正面図。
【図９】    本発明に関わる電子機器の第１の実施例における電子機器本体の装着時の態様を示す側面図。
【図１０】    電子機器の第２の実施例を示す正面図及び要部II―II断面図。
【図１１】    電子機器の第２の実施例を示す側面図及び要部III―III断面図。
【図１２】    電子機器の第２の実施例を示すＥ部側面詳細図。
【図１３】    電子機器の第３の実施例を示す正面図及び要部II―II断面図。
【図１４】    電子機器の第３の実施例を示すＦ部正面詳細図。
【図１５】    電子機器の第３の実施例を示す側面図及び要部III―III断面図。
【図１６】    従来の電子機器本体と充電台の充電時の態様を示す、（ａ）は正面図、（ｂ）は側面図、（ｃ）は平面図。
【図１７】    従来の電子機器本体と充電台の充電時の態様を示す正面図及び要部Ｂ―Ｂ断面図。
【図１８】    従来の電子機器本体と充電台の充電時の態様を示す側面図及び要部Ｃ―Ｃ断面図。
【図１】
0004245233.tif 000002
【図２】
0004245233.tif 000003
【図３】
0004245233.tif 000004
【図４】
0004245233.tif 000005
【図５】
0004245233.tif 000006
【図６】
0004245233.tif 000007
【図７】
0004245233.tif 000008
【図８】
0004245233.tif 000009
【図９】
0004245233.tif 000010
【図１０】
0004245233.tif 000011
【図１１】
0004245233.tif 000012
【図１２】
0004245233.tif 000013
【図１３】
0004245233.tif 000014
【図１４】
0004245233.tif 000015
【図１５】
0004245233.tif 000016
【図１６】
0004245233.tif 000017
【図１７】
0004245233.tif 000018
【図１８】
0004245233.tif 000019